(57)【特許請求の範囲】
【請求項１】
少数本のゴルフクラブを収納するケース本体の上部側を、ゴルフクラブのグリップ側を収納する細径収納部とし、ケース本体の下部側を、ゴルフクラブのヘッド側を収納する袋状の膨出部としたゴルフクラブケースに於て、
上記ケース本体に硬質な枠体を添設し、当該枠体に結合する硬質な底体を膨出部の下部に装着してケース本体を立置可能とすると共に、
上記細径収納部の上部開口部から膨出部に亘りファスナを開閉自在に装着して、ゴルフクラブヘッドを出し入れする開閉部をケース本体に設けたことを特徴とするゴルフクラブケース。
【請求項２】
ケース本体内の底部上面を、ケース本体内に収納するゴルフクラブのライ角に沿って一方向に傾斜させたことを特徴とする請求項１記載のゴルフクラブケース。
【発明の詳細な説明】
【０００１】
【発明の属する技術分野】
本発明は、少数本のゴルフクラブを収納するゴルフクラブケースに関する。
尚、本明細書に於て、「立置」とは物を立てて置いておくことをいい、ケース全体が立置可能とは、人が支えなくともゴルフクラブケースを平坦な場所に立てて置いておくことができることをいう。
【０００２】
【従来の技術】
ゴルフクラブの収納具として、従来、フルセットのゴルフクラブ１４本総てを収納するキャディバッグと、数本のゴルフクラブを収納するゴルフクラブケースが知られている。
ゴルフクラブケースは、主にゴルフ練習場で使用され、限られた本数（６本前後）を収納することを目的としているため、キャディバッグより小さく軽量に形成されている。
【０００３】
ところで、これらの収納具は、通常、ゴルフクラブの重量部であるヘッド側を上に、グリップ側を下にして収納する構造上、重心が上部に位置することとなって収納具全体が不安定となり、立置時や運搬時に倒れ易いという問題があった。
【０００４】
特に、数本のゴルフクラブを収納するゴルフクラブケースの場合、これを肩に担いで自転車やバイクでゴルフ練習場等に向かうことが多いが、重心が上部に位置する構造上、自転車やバイクでの運搬，移動の際にゴルフクラブケースが斜めに倒れ、自転車やバイクの横幅よりも左右にはみ出して車や歩行者等と接触する虞があり、また、電車に乗って運搬，移動する際も、肩に担いだゴルフクラブケースが倒れて周囲の人に迷惑を掛けてしまう虞があった。
【０００５】
そこで、斯かる実情に鑑み、実公平６−３６８４３号公報には、ケース本体の上部側をゴルフクラブのクリップ側が収納可能な細径収納部とし、ケース本体の下部側をヘッド側が収納可能な大径収納部とすると共に、ケース本体の裏面側を平坦な背当て面として２本のバンドを取り付け、これら２本のバンドでケース本体をランドセル状に背負い可能としたゴルフクラブケースが提案され、また、特許第２８８４３２５号公報には、クラブのヘッド側を下に、グリップ側を上にして収納できるようにしたキャディバッグが開示されている。
【０００６】
而して、実公平６−３６８４３号公報に開示されたゴルフクラブケースによれば、ゴルフクラブを収納することで重心が下方に位置するため、従来のゴルフクラブケースに比し肩に担いだ際に安定感が向上することとなった。
【０００７】
【発明が解決しようとする課題】
しかし乍ら、上記実公平６−３６８４３号公報に開示された従来例にあっては、硬質な底体を有していないため、ゴルフ練習場の床や電車内，ホーム等にゴルフクラブケースを立置させることができず、また、運搬，移動中にゴルフクラブケース内でゴルフクラブがガタ付いてクラブ同士がぶつかったり擦れ合い、更にまた、床等にゴルフクラブケースを下ろした際に、下側に位置するヘッドの保護が十分に図れないといった虞がある。
【０００８】
一方、特許第２８８４３２５号公報に開示された従来例はキャディバッグに係り、フルセットのゴルフクラブを使用，収納するに当たり、これらの回動保持装置をバッグ内に設けることでゴルフクラブの出し入れの改良を意図したもので、数本のゴルフクラブを収納するゴルフクラブケースに適用し得るものではない。本発明は斯かる実情に鑑み案出されたもので、従来のゴルフクラブケースに比し更に少数本（３本前後）のゴルフクラブを収納するゴルフクラブケースに係り、安定した状態で運搬，移動できると共に、ゴルフクラブのヘッドの保護を図りつつ、平坦な場所で立置可能なゴルフクラブケースを提供することを目的とする。
【０００９】
【課題を解決するための手段】
斯かる目的を達成するため、請求項１に係る発明は、少数本のゴルフクラブを収納するケース本体の上部側を、ゴルフクラブのグリップ側を収納する細径収納部とし、ケース本体の下部側を、ゴルフクラブのヘッド側を収納する袋状の膨出部としたゴルフクラブケースに於て、上記ケース本体に硬質な枠体を添設し、当該枠体に結合する硬質な底体を膨出部の下部に装着してケース本体を立置可能とすると共に、上記細径収納部の上部開口部から膨出部に亘りファスナを開閉自在に装着して、ゴルフクラブヘッドを出し入れする開閉部をケース本体に設けたことを特徴とする。
【００１０】
そして、請求項２に係る発明は、請求項１記載のゴルフクラブケースに於て、ケース本体内の底部上面を、ケース本体内に収納するゴルフクラブのライ角に沿って一方向に傾斜させたことを特徴としている。
【００１１】
（作用）
請求項１に係る発明によれば、ゴルフクラブはヘッド側を下にしてゴルフクラブケース内に収納されるため、ゴルフクラブを収納することでゴルフクラブケースの重心は下部に位置し、この結果、肩に担いだゴルフクラブケースは安定した状態となる。
【００１２】
また、硬質な枠体が内装されたケース本体の下部に硬質な底体が一体的に結合しているため、平坦な場所にゴルフクラブケースを立てて置けば、ゴルフクラブケースは手で保持することなく立置する。
そして、ゴルフクラブケース内にゴルフクラブを出し入れする場合、斯様にゴルフクラブケースを立置させた状態でファスナを全開すれば、開閉部が開口して細径収納部と膨出部が左右に展開するため、ゴルフクラブをゴルフクラブケースの正面側から出し入れできることとなる。
【００１３】
更に、請求項２に係る発明によれば、収納するゴルフクラブのライ角（アドレス時に、ゴルフクラブをフェース側から見た時のシャフトと地面との角度）に沿うようにケース本体内の底部上面を傾斜させることで、運搬，移動時のヘッドの回転やガタ付きが抑止されることとなる。
【００１４】
【発明の実施の形態】
以下、本発明の実施形態を図面に基づき詳細に説明する。
【００１５】
図１乃至図４は請求項１及び請求項２に係るゴルフクラブケースの一実施形態を示し、図１及び図２に於て、１は上部側にゴルフクラブ３のグリップ５側を収納する略筒状の細径収納部７が形成され、下部側にゴルフクラブ３のヘッド９側を収納する袋状の膨出部１１が形成されたゴルフクラブケース１３のケース本体で、図１に示すようにケース本体１は、収納する３本前後のゴルフクラブ３のヘッド９からグリップ５側のシャフト１５迄を覆う寸法に形成されており、細径収納部７の上部開口部１７から収納した各ゴルフクラブ３のグリップ５が上方へ突出する構造となっている。そして、ケース本体１の背面側に、ショルダーベルト１９とハンドル２１が上下方向に架け渡されている。
【００１６】
また、図１及び図３に示すように細径収納部７の上部開口部１７から膨出部１１の下部に取り付く底体２３に亘って、ケース本体１の正面側に開閉部２５が形成されると共に、当該開閉部２５に沿って１個のスライダ２７を有するファスナ２９が細径収納部７の上部側から底体２３に亘って取り付き、そして、ファスナ２９の上端部を覆って細径収納部７に緊締具３１が取り付けられている。
【００１７】
緊締具３１は、１本の緊締ベルト３３を、開閉部２５を挟んだ細径収納部７の一方の側面前方に取り付けて、当該緊締ベルト３３の裏面と細径収納部７の他方の側面に夫々マジックテープ３５，３７を縫着して構成したもので、図３に示すようにマジックテープ３５，３７を外し、スライダ２７を底体２３まで下ろしてファスナ２９を全開すると、開閉部２５が開口して細径収納部７と膨出部１１が左右に展開し、ゴルフクラブ３がゴルフクラブケース１３の正面側から出し入れできるようになっている。
【００１８】
而して、上記ケース本体１は、図２に示すように合成皮革やナイロン等の表地１ａと、ナイロン等の裏地１ｂを縫製して形成されているが、ケース本体１が自重で折れ曲がることがないように、ケース本体１には、図４の如く膨出部１１の左右両側面形状と背面形状及び細径収納部７の形状に合わせた厚さ０．７〜１．５ｍｍ程のポリエチレン樹脂ボードからなる断面略Ｕ字状の枠体３９が内装，添設されている。そして、当該枠体３９と膨出部１１の下部に取り付く底体２３が結合して、ゴルフクラブケース１３が立置可能となっている。
【００１９】
即ち、図１及び図２に示すように底体２３は、硬質なプラスチックで形成された平面視正方形状の皿形状をなし、周縁部に立設された直立壁４１に多数の糸孔４３が周方向に設けられている。
そして、当該糸孔４３を介して直立壁４１とケース本体１、即ち、直立壁４１内に膨出部１１を載置し、ケース本体１の表地１ａと裏地１ｂ，枠体３７を糸４５で直立壁４１に一体的に縫着してケース本体１の下部に底体２３が取り付けられており、硬質な枠体３９が内装されたケース本体１の下部に硬質な底体２３が一体的に結合することで、平坦な場所にゴルフクラブケース１３を立置させることができるようになっている。
【００２０】
また、図２に示すようにケース本体１内の底部には、発泡スチロールや発泡ウレタン等からなるクッション体４７が、底体２３の内側上面に載置されて装着されており、当該クッション体４７の上面４９は、収納するゴルフクラブ３のライ角に沿うようにゴルフクラブケース１３の背面側から正面側に向かって下方に傾斜し、そして、ヘッド９に傷が付くことがないように柔軟なニット素材等のシート５１がクッション体４７の上面４９に貼着されている。
【００２１】
その他、図１中、５３は底体２３の底面の四隅に形成された立置脚である。
本実施形態に係るゴルフクラブケース１３はこのように構成されており、ゴルフクラブ３はヘッド９側を下にしてゴルフクラブケース１３内に収納されるから、ゴルフクラブ３を収納することでゴルフクラブケース１３の重心は下部に位置する。
この結果、ショルダーベルト１９を介してゴルフクラブケース１３を肩に担いで自転車やバイクに乗ると、ゴルフクラブケース１３は斜めに倒れることなく安定する。
また、ケース本体１内の底部に装着したクッション体４７の上面４９が、収納したゴルフクラブ３のライ角に沿うように傾斜しているため、運搬，移動時に於けるヘッド９の回転やガタ付きがクッション体４７によって抑止され、シート５１がヘッド９の損傷を防止する。
【００２２】
そして、硬質な枠体３９が内装されたケース本体１の下部に硬質な底体２３が一体的に結合しているため、ゴルフ練習場の床や電車内，ホーム等の平坦な場所にゴルフクラブケース１３を立てて置けば、ゴルフクラブケース１３は手で保持することなく立置し、ゴルフクラブケース１３を下ろした際に、クッション体４７やシート５１がヘッド９の損傷を防止することとなる。
【００２３】
そして、ゴルフクラブケース１３内にゴルフクラブ３を出し入れする場合、斯様にゴルフクラブケース１３を立置させた状態でファスナ２９を全開すれば、開閉部２５が開口して細径収納部７と膨出部１１が左右に展開するため、ゴルフクラブ３をゴルフクラブケース１３の正面側から出し入れできることとなる。
【００２４】
従って、本実施形態によれば、肩に担いで自転車やバイクでゴルフ練習場等に向かう際に、ゴルフクラブケース１３が倒れることなく安定した状態で運搬，移動でき、ゴルフクラブケース１３が車や歩行者と接触する虞がなく、そして、電車に乗って運搬，移動する際に、ゴルフクラブケース１３が倒れて周囲の人に迷惑を掛けてしまうこともない。
【００２５】
また、本実施形態によれば、運搬，移動時にヘッド９が回転したりガタ付くことがないため、ヘッド９に傷がつく虞がないし、ヘッド９を保護し乍らゴルフ練習場の床や電車内，ホーム等の平坦な場所にゴルフクラブケース１３を立置しておくことができるため、わざわざ手でこれを保持しておく必要もなくなった。
尚、上記実施形態は、図４に示すように膨出部１１の左右両側面と背面形状及び細径収納部７の形状に合わせたポリエチレン樹脂ボードからなる断面略Ｕ字状の枠体３９をケース本体１に内装したが、図５に示すように膨出部１１と細径収納部７の左右両側面の形状に合わせたポリエチレン樹脂ボードからなる一対の枠体５５をケース本体１に内装して、これらを底体２３と結合させてもよい。
【００２６】
また、図６に示す実施形態は、既述した底体２３とクッション体４７に代え、収納するゴルフクラブ３のライ角に沿うように上面５７がゴルフクラブケース１３-1の背面側から正面側に向かって下方に傾斜する平面視正方形状の底体５９を硬質なプラスチックで形成して、これを膨出部１１の下部内に装着したもので、その周縁部に設けた直立壁６１が接地し、そして、当該直立壁６１に設けた多数の糸孔６３を介して直立壁６１とケース本体１を糸で一体的に縫着することで、平坦な場所にゴルフクラブケース１３-1が立置できるできるように構成されている。
【００２７】
また、底体５９の裏面側には、格子状の補強リブ６５が糸孔６３を避けるように一体成形されている。そして、その他の構成は図１の実施形態と同様であるので、同一のものには同一符号を付してそれらの説明は省略する。
而して、ゴルフクラブケース１３-1によっても、図１の実施形態と同様、肩に担いだ際に、ゴルフクラブケース１３-1が倒れることなく安定し、また、運搬，移動時にヘッド９が回転したりガタ付くことがないため、ヘッド９に傷がつく虞がないし、ヘッド９を保護し乍らゴルフ練習場の床や電車内，ホーム等の平坦な場所にゴルフクラブケース１３-1を立置しておくことができるため、わざわざ手でこれを保持しておく必要もない等、所期の目的を達成することが可能である。
【００２８】
尚、図１の実施形態では、図１に示すように収納する３本前後のゴルフクラブ３のヘッド９からグリップ５側のシャフト１５迄を覆う寸法にケース本体１を形成して、ケース本体１の細径収納部７の上部開口部１７から各ゴルフクラブ３のグリップ５が上方へ突出する構造としたが、細径収納部を更に上方へ延設して、収納するゴルフクラブのグリップ迄を覆うようにケース本体を形成してもよいことは勿論である。
【００２９】
【発明の効果】
以上述べたように、請求項１に係るゴルフクラブケースによれば、肩に担いで自転車やバイクでゴルフ練習場等に向かう際に、ゴルフクラブケースが倒れることなく安定した状態で運搬，移動でき、ゴルフクラブケースが車や歩行者と接触する虞がなく、そして、電車に乗って運搬，移動する際に、ゴルフクラブケースが倒れて周囲の人に迷惑を掛けてしまうこともない。
【００３０】
また、本発明によれば、ヘッドを保護し乍らゴルフ練習場の床や電車内，ホーム等の平坦な場所にゴルフクラブケースを立置しておくことができるため、わざわざ手でこれを保持しておく必要もない。
そして、請求項２に係る発明によれば、収納するゴルフクラブのライ角に沿うようにケース本体内の底部上面を傾斜させることで、運搬，移動時のヘッドの回転やガタ付きを抑止することが可能となり、ヘッドに傷がつく虞がなくなった。
【図面の簡単な説明】
【図１】請求項１及び請求項２の一実施形態に係るゴルフクラブケースの全体斜視図である。
【図２】図１に示すゴルフクラブケースの要部拡大断面図である。
【図３】ファスナを全開したゴルフクラブケースの全体斜視図である。
【図４】ケース本体に内装する枠体の全体斜視図である。
【図５】枠体の変形例の全体斜視図である。
【図６】請求項１及び請求項２の他の実施形態に係るゴルフクラブケースの要部拡大断面図である。
【符号の説明】
１  ケース本体
３  ゴルフクラブ
７  細径収納部
１１  膨出部
１３，１３-1  ゴルフクラブケース
２３，５９  底体
２９  ファスナ
３１  緊締具
３９，５５  枠体
４７  クッション体
５１  シート
【図１】
0004522593.tif 000002
【図２】
0004522593.tif 000003
【図３】
0004522593.tif 000004
【図４】
0004522593.tif 000005
【図５】
0004522593.tif 000006
【図６】
0004522593.tif 000007